(57)【要約】      （修正有）【課題】遊技球の挙動を楽しむことで、遊技の趣向を増大させることのできるパチンコ遊技機を提供する。【解決手段】図柄を変動表示する表示器４２ａと、前記表示器４２ａの下方に遊技球の入球により前記表示器４２ａの図柄を変動させる始動入賞口１５とを備えたパチンコ遊技機であって、前記表示器４２ａの周囲を回動する回転体４３と、前記回転体４３を回動させる駆動手段５５とを備え、前記回転体４３は遊技球が飛入する球入口４５と、前記球入口４５から飛入した遊技球が遊動し得る空間部４６と、前記空間部４６に連通して形成される球出口４７とを有し、前記球入口４５から飛び込んだ遊技球が前記空間部４６内を遊動しながら前記表示器４２ａの周囲を移動し所定位置で該遊技球を前記球出口４７から前記始動入賞口１５に向かって放出するようにした。【選択図】図２
2007325615.tif 000002
【特許請求の範囲】
【請求項１】
図柄を変動表示する表示器と、前記表示器の下方に遊技球の入球により前記表示器の図柄を変動させる始動入賞口とを備えたパチンコ遊技機であって、
前記表示器の周囲を回動する回転体と、前記回転体を回動させる駆動手段とを備え、前記回転体は遊技球が飛入する球入口と、前記球入口から飛入した遊技球が遊動し得る空間部と、前記空間部に連通して開設される球出口とを有し、前記球入口から飛入した遊技球が前記空間部内を遊動しながら前記表示器の周囲を移動し所定位置で該遊技球を前記球出口から前記始動入賞口に向かって放出するようにしたことを特徴とするパチンコ遊技機。
【請求項２】
前記回転体の少なくとも空間部を形成する前面部位を透光性を有する合成樹脂により形成し、空間部に受け入れられた遊技球の態様を視認し得るようにしたことを特徴とする請求項１記載のパチンコ遊技機。
【請求項３】
前記球入口の内面周縁に逆流防止手段を設けたことを特徴とする請求項１又は２記載のパチンコ遊技機。
【請求項４】
前記表示器を支持する支持部を設けると共に該支持部を前記回転体の回動軸としたことを特徴とする請求項１乃至３のいずれかに記載のパチンコ遊技機。
【請求項５】
前記球入口に向かって遊技球を導く誘導手段を設けたことを特徴とする請求項１乃至４のいずれかに記載のパチンコ遊技機。
【発明の詳細な説明】
【技術分野】
【０００１】
本発明は、パチンコ遊技機に関し、特に図柄表示装置が設けられるパチンコ遊技機に関する。
【背景技術】
【０００２】
従来、多くのパチンコ遊技機は数字・図柄等を変動表示する図柄表示装置を備えており、この図柄表示装置の図柄表示は図柄表示装置の下方に設けられた始動入賞口へ遊技球が入賞することにより図柄が変動する。そして、図柄表示装置に所要の図柄変動表示がなされ、その図柄の停止態様に応じて遊技者に有利な遊技状態が付与されるようになっている。この図柄表示装置には遊技盤面に沿って流下する遊技球の流れに変化を与えるステージ部が設けられ、入球口に入った遊技球がこのステージ部に誘導されてステージ部上を転動し、始動入賞口又はそれ以外の遊技領域へ振り分けられるようになっている。また、図柄の変動表示中に、遊技球が始動入賞口に入球したときには、この入球数を所定の入球回数を記憶手段で記憶し該入球に対する図柄の変動表示を一旦保留し、変動表示中の図柄が確定表示されたら、記憶手段の入球回数の記憶に基づいて入球回数だけ図柄を変動表示させており、入球回数が所定回数を超える場合には、記憶させず図柄の変動表示を無効とするようにしている（例えば、特許文献１参照。）。
【０００３】
【特許文献１】特開２０００−３００７４７号公報（第３頁）
【発明の開示】
【発明が解決しようとする課題】
【０００４】
しかしながら、従来のパチンコ遊技機においては、入球口に入った遊技球が常に同一の球流路を通ってステージ部に誘導されて、ステージ部で往復移動を繰り返すようになっており、遊技球の流れが常に一定となりやすく飽きを生じて遊技の興趣に欠けるものとなっていた。しかも遊技者にとってマンネリ化し視覚的効果に乏しく、遊技盤面においてデザイン的な効果を十分に発揮し得ないといった問題があった。
【０００５】
また、保留球数が所定数になると始動入賞口に遊技球が入賞しても始動記憶としてカウントされず、単に入賞球として処理されるだけであるため、遊技者は保留球数が所望の個数に減少するまで発射操作を停止することがあり、ホールにとってはパチンコ遊技機の稼働率が低下し売上の減少になるという問題があった。
【０００６】
本発明はこのような従来技術の問題点を解消するものであって、その目的は、遊技球の挙動を楽しむことで、遊技の趣向を増大させることのできるパチンコ遊技機を提供することにある。また、始動入賞口の保留球数がオーバーフローするのを阻止し、遊技者の止め打ちを防止することのできるパチンコ遊技機を提供することにある。
【課題を解決するための手段】
【０００７】
本発明の請求項１の発明は、図柄を変動表示する表示器と、前記表示器の下方に遊技球の入球により前記表示器の図柄を変動させる始動入賞口とを備えたパチンコ遊技機であって、前記表示器の周囲を回動する回転体と、前記回転体を回動させる駆動手段とを備え、前記回転体は遊技球が飛入する球入口と、前記球入口から飛入した遊技球が遊動し得る空間部と、前記空間部に連通して開設される球出口とを有し、前記球入口から飛入した遊技球が前記空間部内を遊動しながら前記表示器の周囲を移動し所定位置で該遊技球を前記球出口から前記始動入賞口に向かって放出するようにしたことを特徴とする。前記回転体は窓部を有する環状に形成され、該窓部に表示器を臨むように設けると共に、回転体を表示器の中心を回転中心（軸線）として回転自在に設けられる。
【０００８】
請求項２記載の発明は、請求項１記載の発明において、前記回転体の少なくとも空間部を形成する前面部位を透光性を有する合成樹脂により形成し、空間部に受け入れられた遊技球の態様を視認し得るようにしたことを特徴とする。空間部に受入れられた遊技球が表示器を周回して球出口から始動入賞口に向かって放出するまでの態様を視認し得るようにした。
【０００９】
請求項３記載の発明は、請求項１又は２記載の発明において、前記球入口の内面周縁に逆流防止手段を設けたことを特徴とする。前記球入口の内面周縁に逆流防止手段を設けることにより、一旦飛入した遊技球が空間部を遊動中に球入口から流出しないようにすることができる。逆流防止手段は、例えば球入口の内面周縁に設けられるリブ状の突出部であり、所定の間隔を隔てて設けられる突起である。
【００１０】
請求項４記載の発明は、請求項１乃至３のいずれかに記載の発明において、前記表示器を支持する支持部を設けると共に該支持部を前記回転体の回動軸としたことを特徴とする。前記表示器のほぼ中央を支持する支持部を短筒状に設け、該短筒状の支持部を前記回転体の回転中心とするのが好ましい。このように表示器のほぼ中央を支持することで表示器の後方に空間ができ、表示器の放熱効果を高めることができる。
【００１１】
請求項５記載の発明は、請求項１乃至４のいずれかに記載の発明において、前記球入口に向かって遊技球を導く誘導手段を設けたことを特徴とする。誘導手段を設けることにより、球入口に入球する期待感を高めることができる。
【００１２】
前記表示器及び回転体を取付ける取付枠に表示器及び回転体が収納される凹室を形成すると共に該凹室に前記表示器の支持部を設けるのが好ましい。
【００１３】
前記回転体の少なくとも空間部を形成する部位を透光性を有する合成樹脂により形成し、凹室又は表示部の空間部と対向する位置にＬＥＤ等の発光手段を設けるのが好ましい。発光手段により凹室を照射することで、球受部材に受け入れられた遊技球に光が乱反射して遊技球の挙動をより楽しむことができ遊技者の興趣を高めることができる。
【００１４】
前記回転体の回転軸を偏心して設け、回転体の動きに興趣をもたせるのがよい。また、回転体はベアリングを介して支承し、スムーズに回転可能にするのが好ましい。
【００１５】
前記始動入賞口は遊技盤面に配置され、遊技領域を流下する遊技球が入賞する入賞装置であって、遊技球が通過可能な球通過口と、前記球通過口に対向する受入開口が形成される球受部材と、前記球受部材で受けた遊技球を後方へ導く誘導路とを備え、前記球受部材は回動軸に揺動自在に設けられると共に常態で前記受入開口が前記球通過口の下方に位置するように重心を設け、前記受入開口の両側に前記球受部材の揺動時に前記球通過口からの遊技球を支持する球支持部を設けるのが好ましい。球受部材が遊技球の当接により揺動しても、球通過口からの遊技球は球受部材の復動時に確実に受入開口に受け入れられる。また、球支持部は前記回動軸を中心とした円弧面に形成するのが好ましい。
【００１６】
また、前記球受部材の往復回動を少なくとも受入開口が水平線より上方に向く範囲内に規制する規制手段を設けるのが好ましく、常に入球可能状態とするのがよい。規制手段は、例えば球受部材と該球受部材が設けられる基板とが対面するいずれか一方の対向面に設けられる突起と、他方の対向面に設けられ前記突起が遊挿されるガイド溝とで構成される。ガイド溝は回動軸を中心とする円弧状の有端溝であり、突起がガイド溝の端部に当接することで回転体の往復回動が規制される。また、規制手段として、球受部材の往復回動によって球受部材の側部が当接して係止する係止ピンとしてもよい。
【００１７】
前記球受部材は、回転中心の下方に錘部を設けて揺動後は自重により、球通過口から落下する遊技球が受入開口から受入れる姿勢に戻るように構成するのが好ましい。さらに、球受部材は、外側部に遊技球が当接する遊技球当接部を設けるのが好ましく、遊技球当接部は下部に向かって裾広がりの球当接面、球受部材の側部に張り出す球受け面、球受部材の下部側に突き出して設ける球当接竿である。
【発明の効果】
【００１８】
本発明は、回転体に遊技球が遊動し得る空間部を設けて、空間部に入球した遊技球が表示器の周囲を遊動しながら回転し、所定位置で遊技球が前記球出口から前記始動入賞口に向かって放出するようにしたので、遊技球の運動に変化が与えられ、遊技者に視覚的な面白味を与えることができ、装飾効果を高めることができる。また、空間部に入球した遊技球を始動入賞口への入賞球の予備球として遊技者の期待感を高め遊技の興趣を高めることができる。
【発明を実施するための最良の形態】
【００１９】
本発明のパチンコ遊技機について図面を参照して説明する。図１はパチンコ遊技機の正面図、図２は図柄表示装置の正面図、図３は図柄表示装置の要部断面図である。パチンコ遊技機は、矩形状の外枠１の前面に遊技盤４を備えた中枠２がヒンジ機構３を介して水平方向へ片開き自在に蝶着され、その前面に遊技盤４が視認できる窓孔６を開設した前面扉５が正面左側を枢支して開閉自在に設けられている。前面扉５の下部には遊技球が貯留される供給皿を備えた上受皿７が開閉自在に設けられ、その上受皿７の下部には上受皿７の余剰球が貯留される貯留皿と灰皿を備えた下受皿９が設けられている。また、下受皿９の右側方には打力を調整する発射ハンドル１０が設けられている。
【００２０】
遊技盤４は、所定の厚みを有する方形状に形成され、ガイドレール１３により略円形の遊技領域４ａが形成されている。遊技領域４ａの略中央に図柄，数字を変動表示する表示部４２を備えた図柄表示装置１３が設けられ、その下方に遊技球の入球により図柄表示装置１３の表示図柄を変動させる始動入賞口１５が設けられている。また、始動入賞口１５の下方に所定の条件により開閉し多数の遊技球を受入れる可変入賞装置１６が設けられ、他の遊技領域４ａには一般入賞口１７及び遊技球の流下経路を変える風車１８，障碍部材１９等が設けられ、遊技領域４ａの最下方には入賞口に入賞しなかった遊技球が流入するアウト球口２０が穿設されている。
【００２１】
始動入賞口１５は、図６乃至図８に示すように遊技盤４面に取付けられる基板２１に遊技球が通過可能な球通過口２２を設け、その下方に遊技球が入球する球受部材２３を回動軸により回動可能に支承すると共に、規制手段により回動範囲を規制している。球受部材２３は遊技球を受入れる受入開口２５が開設されると共に遊技球を後方へ導く誘導路２６を備え、実施例において誘導路２６を回動軸としている。つまり、回動軸を遊技球の径より大径として該回動軸内を遊技球が通過するようにしている。
【００２２】
球受部材２３は、図７に示すように前枠２７と後板２８とからなり、前枠２７に断面コ字状の受入開口２５及び有底入球路３２が設けられ、受入開口２５の両側に球受部材２３の揺動時に球通過口２２からの遊技球を支持する球支持部２９が回動軸（誘導路２６）を中心とした円弧状に設けられると共に、その下方に遊技領域４ａを流下する遊技球が当接する球当接部３０を下部に向かって裾広がり状に設けている。さらに、常態で受入開口２５が球通過口２２の下方に位置するように回動軸の下方に重心位置を設定する錘部３１を設けており、揺動後は自重により球通過口２２の下方に受入開口２５が位置して球通過口２２から落下する遊技球を受け入れる姿勢に戻るようにしている。また、後板２８には有底入球路３２と連通する筒状の球誘導路２６及び球受部材２３の回動範囲を規制する規制手段として後方に突出するピン状の規制突起３３が設けられている。そして、前枠２７を後板２８の取付ボス３４にビスを螺締し、このビスを隠蔽するように前枠２７の前面に装飾効果を有するシール３５を貼着して球受部材２３が組み立てられる。
【００２３】
一方、基板２１には、遊技球が通過し得る約１３ｍｍの間隔を隔てて一対の軸ピン２２ａ，２２ａを突設して球通過口２２が設けられ、規制突起３３と共に球受部材２３の規制手段となる有端のガイド溝３６が規制突起３３と対向する位置に回動軸を中心として円弧状に穿設されている。また、基板２１の背面には前後に貫通するベアリングハウジング３７が設けられ、ベアリングハウジング３７の内周領域内にボールベアリング２４を隙間なく装着している。そして、このベアリング２４の内輪に筒状の球誘導路２６を挿入嵌合すると共に規制突起３３をガイド溝３６に遊挿することで、球受部材２３が球誘導路２６を回動軸として基板２１に回動自在に装着され、始動入賞口１５が組み立てられる。したがって、球受部材２３は遊技球の当接により所定範囲内をスムーズに揺動する。このとき、球受部材２３は遊技球を受入れ得るように規制手段により往復回動を少なくとも受入開口２５が水平軸線より上方に向く範囲内に規制している。また、図４に示すように誘導路２６の後方に位置して遊技球を検出する検知センサ３８を設けている。始動入賞口１５は、遊技盤４を貫通する貫通口４ｂに設けられ、常態では図８実線に示すように受入開口２５が球通過口２２の下方に位置して遊技球を受け入れ得る状態にあり、遊技中において遊技球が球当接部３０等に当たることによって、球受部材２３が同図鎖線に示すように揺動し、球通過口２２の外側でも遊技球を入球し得るようになる。このように、受入開口２５が常に所定の傾き位置で定まってないので、遊技者は変化のあるゲームを楽しむことができ、しかも球通過口２２に入球して球支持部２９で支持され待機していた遊技球は球受部材２３の復動時に必ず受入開口２５に入球するため、球受部材２３の揺動によって入賞する機会が増え遊技者の興趣がより増すことになる。
【００２４】
本発明に係る図柄表示装置１３は、図２乃至図４に示すように中央に凹室４０が形成される取付枠４１と、複数の図柄を変動表示する表示器４２ａと、遊技盤４面を流下する遊技球の流れに変化を与える役物として表示器４２ａの周囲を回転する環状の回転体４３とで大略構成されている。表示器４２ａは、本実施例において７セグメントのＬＥＤであり、表示器４２ａの前面に図柄を拡大するレンズ部材を設けており、図柄として数字，アルファベット，記号等が表示可能な円形の表示部４２を構成している。表示器４２ａにおける画像表示は演出制御装置により制御され、演出制御装置は、スピーカによる音の演出と、装飾ランプ・ＬＥＤ等による発光の演出とを行う音・ランプ制御装置と、表示器４２ａの表示制御を行う表示制御装置とに別れている。なお、実施例において表示器４２ａをセグメント表示器としたが、マトリクス表示器，液晶表示器，ＥＬ（エレクトロルミネッセンス）表示器等であってもよい。また、表示部４２の形状は円形が好ましいが、円形に限定されるものではなく方形状，多角形であってもよい。
【００２５】
回転体４３は、中央に表示部４２が臨む窓部４４が形成され略円形の環状に形成されると共に、偏心位置に接続片５８を介して回転軸となる筒部５９を設けて、遊技盤４面と略垂直に交差すると共に水平な軸線を中心に遊技盤４面と平行面内で表示器４２ａの周囲を回転するように設けられている。また、回転体４３の環状の前面壁に遊技球が飛込み得る大きさを有する球入口４５を開設すると共に、球入口４５に連通して球入口４５から飛入した遊技球が遊動し得る空間部４６を形成し、さらに空間部４６と連通すると共に球入口４５と位置を違えて空間部４６の外周面のほぼ中央位置に遊技球が排出される球出口４７を開設している。空間部４６は、奥行きが遊技球略１個分で高さは遊技球略２個分あり、周方向の幅は回転体４３の略１／４で遊技球略５個分の広さを有している。そして、回転体４３は少なくとも空間部４６の前面部位は球入口４５から受入れられた遊技球が視認し得るように透光性を有する無色又は着色透明の合成樹脂により形成されており、実施例では他の環状部前面には後方が透けて見えないように飾りシールまたは彩色等により装飾が施されている。また、球入口４５の内面周縁に一旦球入口４５から飛入した遊技球が空間部４６を遊動中に、誤って飛入口４５から流出しないように逆流防止手段を設けており、実施例では図４に示すように少なくとも球入口４５の後方を遊技球が通過し得る間隔を有するように高さの低いリブ状の突出部４８を周設している。なお、逆流防止手段は必ずしも連続するものでなくてもよく、遊技球が飛入口４５から流出しないように邪魔する突起を所定の間隔を隔てて設けるようにしてもよい。また、空間部４６の内周壁にリブ，溝等により凹凸を形成するようにしてもよく、空間部４６を遊動する遊技球が凹凸上を通過することによりさらに動的な面白さを付加することができる。
【００２６】
取付枠４１は、中央に前方を開放した円形の凹室４０が形成されると共に凹室４０外周の略上半分を覆い前方に向かって遊技領域４ａ内に突出して庇部４９が設けられる。庇部４９は、遊技球が図柄表示装置１３の上側から表示部４２内に進入するのを防止して表示器４２ａの視認性を確保するとともに、飛入口４５への遊技球の流入を制限するようにしている。そして、庇部４９の端部下方に遊技球を飛入口４５に誘導する誘導手段としての誘導棚５０及び凹室４０の間隙に遊技球が入らないようにする遮蔽板５１が設けられている。誘導棚５０は、内方に緩やかに下傾すると共に凹室４０側にも僅かに下傾しており、遊技球が飛入口４５に向かって誘導するように設定されている。また、板状部には始動入賞口１５に入球した保留球を４個の範囲内で表示する記憶表示器５２を設けている。そして、凹室４０の底部（後面部）となる中央部分には表示器４２ａの中心を支持する支持部５３が短筒状に設けられ、この短筒状の支持部５３を回転体４３の回動軸とすると共に、支持部５３の内部に表示器４２ａの配線Ｈを通し処理するように貫通して設けている。このように、表示器４２ａの中心を支持することにより、凹室４０の底部（後面部）との間に隙部ができ、発熱する表示器４２ａの熱を効果的に排熱できるようになっている。凹室４０の最下端には球出口４７と合致して空間部４６の遊技球を始動入賞口１５に向かって放出する放出口５４が開設されている。また、凹室４０の後面には、空間部４６の後面に対応する位置に発光手段としてＬＥＤ６０を所定の間隔を隔てて環状に設け、貫通孔を介して光を前方に照射するように構成されており、空間部４６を照射して飛入口４５から飛び込んだ遊技球を照射するようにしている。ＬＥＤ６０は発光制御回路に接続されて発光の制御が行われる。なお、空間部４６を照射する発光手段は、凹室４０の内周面又は表示部４２の外周に周設して空間部４６を照射するようにしてもよい。また、凹室４０の後面には回転体４３を駆動する駆動手段として電気的に駆動するモータ５５が設けられ、透孔３９を介して凹室４０内に臨んだモータ軸５５ａに駆動歯車５６を固定的に設けている。このとき駆動歯車５６は、前面から視認できないように表示部４２の後方に位置して設けるのが好ましい。そして、この駆動歯車５６に噛合する筒状の従動歯車５７が筒部５９の外周に設けられ、筒部５９を短筒状の支持部５３に外嵌装着することで、モータ５５の駆動により回転体４３が支持部５３を回転軸として回転するようになっている。このとき、筒部５９はベアリングを介して支持部５３に設け、回転体４３がスムーズに回転するようにするのが好ましい。
【００２７】
このように構成される図柄表示装置１３は、発光手段を取付けた取付枠４１にモータ５５及び駆動歯車５６を装着し、取付枠４１の凹室４０に図３に示すように従動歯車５７が駆動歯車５６に噛合するように回転体４３を装着し、表示器４２ａを支持部５３に支持固定することにより短筒状の支持部５３の軸線を中心として環状の回転体４３が表示部４２を囲繞するように回転自在に設けられる。従って、遊技者は空間部４６に入球した遊技球を視認でき、遊動しながら表示部４２の周囲を移動する遊技球の動きを楽しむことができる。なお、本実施例では回転体４３の回転中心を偏心して設けて、回転体４３と凹室４０内周縁との間及び表示部４２の外周縁との間に略三日月状の間隙部が形成されており、恰も回転体４３が回転軸に対して、遊星回転運動をするかのように回転支持されている。つまり、回転体４３の回転運動は球出口４７が凹室４０の内周面に常に対向した状態で表示器４２ａの周りを回転するように設定しており、球出口４７は回転中心から最も距離が遠い位置に設けられている。
【００２８】
次にパチンコ遊技機の作用について説明する。常態で回転体４３は一定速度で時計回り方向に回転し、飛入口４５が一定の間隔で表示部４２の周りを回転移動している。そして、遊技領域４ａに打ち込まれた遊技球が誘導棚５０を介してタイミングよく飛入口４５に飛び込むと、図５（ロ）に示すように遊技球は回転体４３の回転に伴い空間部４６を遊動しながら運ばれる。このとき発光手段の光が空間部４６内の遊技球の表面に乱反射して、空間部４６内が明るくなるのみならず、乱反射による光模様によって装飾性が向上する。また、図５（ニ）に示すように球出口４７が最下端に回動移動して放出口５４と対向すると遊技球は球出口４７から流出して放出口５４から始動入賞口１５に向かって放出される。そして、球通過口２２を通過して球受部材２３に入賞すると、筒状の球誘導路２６を通り検知センサ３８により遊技球の入賞が検知され遊技盤４の裏面に入賞球として排出処理され、図示しない球払出装置から所定個数の賞球が遊技者に払出される。入賞球の検知により表示部４２の図柄表示が変動し、表示部４２に「７７７」等の所定の図柄が停止表示されると「大当り」となって、可変入賞装置１６が遊技者にとって有利な状態に開放して一気に多量の賞球を獲得することができる。また、遊技球が放出口５４から始動入賞口１５に向かって放出されたとき、遊技領域４ａを流下する遊技球が球当接部３０に当接し球受部材２３が図８鎖線に示すように揺動して、受入開口２５の開口端が球通過口２２の外方に移動して球通過口２２の外側で遊技球を受け入れ得る状態の場合には、球通過口２２に入球した遊技球は球支持部２９で支持された状態で待機する。そして、球受部材２３が自重により復帰して受入開口２５が球通過口２２の下方に位置すると、遊技球は受入開口２５から入球し誘導路２６を通って検知センサ３８に検知されて入賞球として処理される。
【００２９】
また、始動入賞口１５に入賞した保留球が４個になり保留球表示器５２がフルに点灯すると、それ以降に入賞した入賞球は単に入賞球としてしか処理されないが、回転体４３の球入口４５からタイミングよく空間部４６に入球した遊技球は、遊動しながら表示部４２の周囲を移動しているため、放出口５４から放出されるときには保留球が消化され、始動入賞口１５に保留球として入球する可能性がある。このため、保留球が満タンであっても、回転体４３の空間部４６に入球した遊技球は５個目，６個目の保留球となる可能性があり、遊技者にとって無駄がなく、しかも遊技球の動きを楽しむというパチンコ遊技本来の面白さを十分満喫することができる。また、誘導棚５０を複数箇所（図上２箇所）に設けるようにしたので、空間部４６に入球するチャンスも増え、図５（ハ）に示すように空間部４６に複数の遊技球が入球する可能性もある。このとき、空間部４６への照射により遊技球に光が乱反射して斬新な光演出効果を楽しむことができる。なお、回転体４３は一方向の回転ではなく、往復回動させる等して変化させるようにして興趣を高めるようにしてもよい。
【００３０】
このように、球入口４５から入球した場合には、空間部４６を遊動しながら移動する遊技球を視認できるので、遊技者の興趣を高め楽しませることができる。同時に、空間部４６の遊技球は始動入賞口１５へ入賞する可能性の高い予備球となるため、例え保留球が満タン状態であっても、期待感が増大し興趣が向上し遊技者は止め打ちすることなく遊技を楽しむことができる。また、回転体４３を偏心して設けることにより動きに変化をもたせることができる。
【００３１】
また、始動入賞口１５を揺動自在に設けたため、遊技中において遊技球が始動入賞口１５の球当接部３０に当たることによって、受入開口２５が所定の傾き位置に定まらず変化のあるゲームが楽しめる。しかも、始動入賞口１５の揺動時に球通過口２２の外側からも遊技球を受け入れることができると共に、球通過口２２に入球した遊技球は球支持部２９で支持され球受部材２３の復動時に必ず受入開口２５に入球する。このように、入賞する機会が増えるため遊技者に非常に得した満足感を与えることが可能であり、遊技の興趣がより増すことになる。
【００３２】
なお、実施例において回転体４３の外観形状を略円形としたが、外観形状は限定されるものではなく、楕円形，略三角形等の多角形，星型及びキャラクター等に変更可能であり、回転体４３と凹室４０内周縁との間の間隙部も複数箇所に形成され、見た目にも遊技者の興趣が向上する。また、実施例において回転体４３に空間部４６を一箇所設けて偏心回転させるようにしたが、この実施例に限定されることはなく、図９に示すように空間部４６を複数設けて空間部４６に入球する確率を高めるようにしてもよく、同図のように仕切り壁により空間部４６を同心状に連続的に複数（図上５箇所）設けても、空間部４６を所定間隔を隔てて均等又はランダムに複数設けるようにしてもよい。また、空間部４６の空間領域の大きさを前後又は周方向に違えさせるようにして、遊技球の遊動態様に変化をつけるようにしてもよい。このとき、回転体４３は凹室４０内を均一に回転するため、回転軸を設けることなく回転体４３の中心を軸線として回転体４３の周囲にギアを設けてモータ５５等の駆動手段を回転体４３の外方に設けるようにしてもよい。また、回転体４３を遊技領域４ａに臨ませて設け、球入口４５を回転体４３の外周面に開設すると共に球出口４７を球入口４５と位置を違えて回転体４３の外周面又は後面に開設するようにしてもよい。さらに、回転体４３を一方向に一定速度で連続回転するようにしたが、回転体４３を正逆回転させるようにしても球入口４５に飛び込みやすいように所定区間で回転速度を低速にするように変化をもたせるようにしてもよい。このとき、モータ５５は制御しやすいステッピングモータが好ましく、回転体４３の所定位置を検知するセンサ等の検出手段を設けるのがよい。また、検出手段として例えば回転速度を低速にする取付枠４１の所定の２箇所に一対の検出腕部を備えた光センサを設け、回転体４３に検出腕部の間を通過する邪魔片を設け、一方のセンサを通過すると回転体４３の速度を低速として、他方のセンサを通過すると元の速度に戻るように回転制御すればよい。
【図面の簡単な説明】
【００３３】
【図１】パチンコ遊技機の正面図である。
【図２】図柄表示装置の正面図である。
【図３】図柄表示装置の要部断面図である。
【図４】図柄表示装置の縦断面図である。
【図５】（イ）〜（ニ）は図柄表示装置の作用説明図である。
【図６】始動入賞口の斜視図である。
【図７】始動入賞口の分解斜視図である。
【図８】始動入賞口の正面図である。
【図９】図柄表示装置の他の実施例を示す正面図である。
【符号の説明】
【００３４】
１３          図柄表示装置
１５          始動入賞口
４０          凹室
４１          取付枠
４２ａ        表示器
４３          回転体
４５          球入口
４６          空間部
４７          球出口
４８          突出部（逆流防止手段）
５０          誘導棚（誘導手段）
５３          支持部（回動軸）
５５          モータ（駆動手段）
【図２】
2007325615.tif 000003
【図３】
2007325615.tif 000004
【図４】
2007325615.tif 000005
【図６】
2007325615.tif 000006
【図８】
2007325615.tif 000007
【図９】
2007325615.tif 000008
【図１】
2007325615.tif 000009
【図５】
2007325615.tif 000010
【図７】
2007325615.tif 000011